(57)【要約】      （修正有）【課題】オートフォーカス（ＡＦ）とマニュアルフォーカス（ＭＦ）を併用する場合にピント調整の誤操作を低減すること【解決手段】ＡＦ指示手段と、ＭＦ操作を受け付ける第１および第２の表示アイテムの表示制御手段と、ＡＦ前のＭＦ操作で、第１の表示アイテムに対する操作に応じて、第１のフォーカス量の分のピント位置を移動し、第２の表示アイテムに対する操作に応じて、第１のフォーカス量より大きい第２のフォーカス量の分のピント位置を移動し、ＡＦを行った後のＭＦ操作で、第１の表示アイテムに対する操作に応じて、第１のフォーカス量の分のピント位置を移動し、第２の表示アイテムに対する操作に応じてはピント位置を移動しない、あるいは、第２の表示アイテムを表示しない、ように制御する制御手段と、を有する撮像制御装置。【選択図】図３Ｂ
2020034691.tif 000002
【特許請求の範囲】
【請求項１】
オートフォーカス（ＡＦ）を行う指示を受け付けるＡＦ指示手段と、
マニュアルフォーカス（ＭＦ）操作としてのフォーカス量の調整指示を受け付ける第１の表示アイテムおよび第２の表示アイテムの表示を制御する表示制御手段と、
ＡＦを行う前のＭＦ操作においては、
前記第１の表示アイテムに対する操作に応じて、第１のフォーカス量の分のピント位置を移動し、
前記第２の表示アイテムに対する操作に応じて、前記第１のフォーカス量より大きい第２のフォーカス量の分のピント位置を移動し、
ＡＦを行った後のＭＦ操作においては、
前記第１の表示アイテムに対する操作に応じて、前記第１のフォーカス量の分のピント位置を移動し、
前記第２の表示アイテムに対する操作に応じてはピント位置を移動しない、あるいは、前記第２の表示アイテムを表示しない、
ように制御する制御手段と、を有することを特徴とする撮像制御装置。
【請求項２】
オートフォーカス（ＡＦ）を行う指示を受け付けるＡＦ指示手段と、
マニュアルフォーカス（ＭＦ）操作としてのフォーカス量の調整を行う第１の操作部材および第２の操作部材と、
ＡＦを行う前のＭＦ操作においては、
前記第１の操作部材に対する操作に応じて、第１のフォーカス量の分のピント位置を移動し、
前記第２の操作部材に対する操作に応じて、前記第１のフォーカス量より大きい第２のフォーカス量の分のピント位置を移動し、
ＡＦを行った後のＭＦ操作においては、
前記第１の操作部材に対する操作に応じて、前記第１のフォーカス量の分のピント位置を移動し、
前記第２の操作部材に対する操作に応じてはピント位置を移動しない、
ように制御する制御手段と、を有することを特徴とする撮像制御装置。
【請求項３】
外部の撮像装置と通信する通信手段を更に有し、
前記制御手段は、前記撮像装置が前記第１のフォーカス量又は前記第２のフォーカス量の分のピント位置を移動するように、前記通信手段による通信を制御する、ことを特徴とする請求項１又は２に記載の撮像制御装置。
【請求項４】
前記制御手段がＡＦを行った後のＭＦ操作においてピント位置を移動させないように制御する場合、当該ピント位置が移動しないことを示す通知をユーザに行う通知手段を更に有する、ことを特徴とする請求項１から３のいずれか１項に記載の撮像制御装置。
【請求項５】
前記通知手段は、受け付ける操作の変化を前記ユーザが視覚的に判別可能な態様で前記通知を行う、ことを特徴とする請求項４に記載の撮像制御装置。
【請求項６】
オートフォーカス（ＡＦ）を行う指示を受け付けるＡＦ指示手段と、
マニュアルフォーカス（ＭＦ）操作としてのフォーカス量の調整を行う第１の操作部材と、
ＡＦを行う前のＭＦ操作においては、
前記第１の操作部材に対する操作開始に応じて１回ピント位置を移動し、
前記第１の操作部材に対する操作が所定時間継続したことに応じて、ピント位置の移動を連続的に繰り返し、
ＡＦを行った後のＭＦ操作においては、
前記第１の操作部材に対する操作開始に応じて１回ピント位置を移動し、
前記第１の操作部材に対する操作が前記所定時間継続したことに応じては、ピント位置を移動しない、
ように制御する制御手段と、を有することを特徴とする撮像制御装置。
【請求項７】
前記制御手段が前記第１の操作部材に対する操作が所定時間継続したことに応じてはピント位置を移動しないように制御する場合、当該ピント位置が移動しないことを示す通知をユーザに行う通知手段を更に有する、ことを特徴とする請求項６に記載の撮像制御装置。
【請求項８】
前記通知手段は、受け付ける操作の変化を前記ユーザが視覚的に判別可能な態様で前記通知を行う、ことを特徴とする請求項７に記載の撮像制御装置。
【請求項９】
オートフォーカス（ＡＦ）を行う指示を受け付けるＡＦ指示手段と、
マニュアルフォーカス（ＭＦ）操作としてのフォーカス量の調整を行う第１の操作部材と、
ＡＦを行う前のＭＦ操作においては、
前記第１の操作部材に対する特定の操作量の操作に応じて、第１のフォーカス量の分のピント位置を移動し、
ＡＦを行った後のＭＦ操作においては、
前記第１の操作部材に対する前記特定の操作量の操作に応じて、前記第１のフォーカス量より小さい第２のフォーカス量の分のピント位置を移動する、
ように制御する制御手段と、を有することを特徴とする撮像制御装置。
【請求項１０】
前記制御手段が前記特定の操作量の操作に応じて前記第２のフォーカス量の分のピント位置を移動するように制御する場合、当該前記第２のフォーカス量の分のピント位置が移動することを示す通知をユーザに行う通知手段を更に有する、ことを特徴とする請求項９に記載の撮像制御装置。
【請求項１１】
前記通知手段は、受け付ける操作の変化を前記ユーザが視覚的に判別可能な態様で前記通知を行う、ことを特徴とする請求項１０に記載の撮像制御装置。
【請求項１２】
ＡＦモードとＭＦモードとを切り換えるモード切換手段を更に有し、
前記ＡＦを行う前のＭＦ操作は、前記ＭＦモードに切り換えられている場合のＭＦ操作であり、
前記ＡＦを行った後のＭＦ操作は、前記モード切換手段でＡＦモードに切り換えられている状態におけるＡＦを行う指示に応じてＡＦを行った後に、前記モード切換手段で前記ＭＦモードに切り換えることなく前記ＡＦを行う指示が継続している場合のＭＦ操作であることを特徴とする請求項１から１１のいずれか１項に記載の撮像制御装置。
【請求項１３】
前記制御手段は、前記モード切換手段で前記ＡＦモードに切り換えられている場合には、前記ＡＦを行う指示が行われる前のＭＦ操作に応じたピント位置の移動は行わないように制御することを特徴とする請求項１２に記載の撮像制御装置。
【請求項１４】
オートフォーカス（ＡＦ）を行う指示を受け付けるＡＦ指示手段を有する撮像制御装置の制御方法であって、
表示制御手段が、マニュアルフォーカス（ＭＦ）操作としてのフォーカス量の調整指示を受け付ける第１の表示アイテムおよび第２の表示アイテムの表示を制御する表示制御工程と、
制御手段が、ＡＦを行う前のＭＦ操作においては、
前記第１の表示アイテムに対する操作に応じて、第１のフォーカス量の分のピント位置を移動し、
前記第２の表示アイテムに対する操作に応じて、前記第１のフォーカス量より大きい第２のフォーカス量の分のピント位置を移動し、
ＡＦを行った後のＭＦ操作においては、
前記第１の表示アイテムに対する操作に応じて、前記第１のフォーカス量の分のピント位置を移動し、
前記第２の表示アイテムに対する操作に応じてはピント位置を移動しない、あるいは、前記第２の表示アイテムを表示しない、
ように制御する制御工程と、を有することを特徴とする撮像制御装置の制御方法。
【請求項１５】
オートフォーカス（ＡＦ）を行う指示を受け付けるＡＦ指示手段と、マニュアルフォーカス（ＭＦ）操作としてのフォーカス量の調整を行う第１の操作部材および第２の操作部材と、を有する撮像制御装置の制御方法であって、
制御手段が、ＡＦを行う前のＭＦ操作においては、
前記第１の操作部材に対する操作に応じて、第１のフォーカス量の分のピント位置を移動し、
前記第２の操作部材に対する操作に応じて、前記第１のフォーカス量より大きい第２のフォーカス量の分のピント位置を移動し、
ＡＦを行った後のＭＦ操作においては、
前記第１の操作部材に対する操作に応じて、前記第１のフォーカス量の分のピント位置を移動し、
前記第２の操作部材に対する操作に応じてはピント位置を移動しない、
ように制御する制御工程、を有することを特徴とする撮像制御装置の制御方法。
【請求項１６】
オートフォーカス（ＡＦ）を行う指示を受け付けるＡＦ指示手段と、マニュアルフォーカス（ＭＦ）操作としてのフォーカス量の調整を行う第１の操作部材と、を有する撮像制御装置の制御方法であって、
制御手段が、ＡＦを行う前のＭＦ操作においては、
前記第１の操作部材に対する操作開始に応じて１回ピント位置を移動し、
前記第１の操作部材に対する操作が所定時間継続したことに応じて、ピント位置の移動を連続的に繰り返し、
ＡＦを行った後のＭＦ操作においては、
前記第１の操作部材に対する操作開始に応じて１回ピント位置を移動し、
前記第１の操作部材に対する操作が前記所定時間継続したことに応じては、ピント位置を移動しない、
ように制御する制御工程、を有することを特徴とする撮像制御装置の制御方法。
【請求項１７】
オートフォーカス（ＡＦ）を行う指示を受け付けるＡＦ指示手段と、マニュアルフォーカス（ＭＦ）操作としてのフォーカス量の調整を行う第１の操作部材と、を有する撮像制御装置の制御方法であって、
制御手段が、ＡＦを行う前のＭＦ操作においては、
前記第１の操作部材に対する特定の操作量の操作に応じて、第１のフォーカス量の分のピント位置を移動し、
ＡＦを行った後のＭＦ操作においては、
前記第１の操作部材に対する前記特定の操作量の操作に応じて、前記第１のフォーカス量より小さい第２のフォーカス量の分のピント位置を移動する、
ように制御する制御工程、を有することを特徴とする撮像制御装置の制御方法。
【請求項１８】
コンピュータを、請求項１から１３のいずれか１項に記載された撮像制御装置の各手段として機能させるためのプログラム。
【請求項１９】
コンピュータを、請求項１から１３のいずれか１項に記載された撮像制御装置の各手段として機能させるためのプログラムを格納したコンピュータが読み取り可能な記憶媒体。
【発明の詳細な説明】
【技術分野】
【０００１】
本発明は、撮像制御装置、その制御方法、プログラムおよび記録媒体に関する。
【背景技術】
【０００２】
従来、カメラのピント調整方法として、自動ピント調整（以下、ＡＦ）とマニュアルフォーカス（以下、ＭＦ）とが知られ、これらを組み合わせてＡＦでピントを合わせた後にＭＦでより厳密にピント調整を行うことが可能なカメラが知られている。このようなカメラには更に、ＭＦによるピント調整時に、ピントを粗く調整するピント粗調整とピントを微調整するピント微調整との両方を行うことが可能なものもある。このようなカメラでは、ＡＦ実行後のＭＦを行う際に誤ってピント粗調整を実行してしまうと、ＡＦで合わせたピント位置が大きく狂ってしまい、再度ＡＦを実行し直す手間が生じてしまう。
【０００３】
このような課題に対し、特許文献１は、ＡＦ実行後の合焦具合を検出し、検出結果に応じてＭＦのためのピント調整リングの感度を変更する技術を提案している。
【先行技術文献】
【特許文献】
【０００４】
【特許文献１】特開２０１５−１１８２３１号公報
【発明の概要】
【発明が解決しようとする課題】
【０００５】
しかしながら、特許文献１で提案された技術では、ＡＦ実行直後の合焦具合に応じてピント調整リングの感度が決定され、当該感度に固定される。すなわち、固定された感度が厳密なピント合わせを行うための最も微小な感度であるとは限らないため、厳密なピント合わせが必要なときに適切な微小感度でピント調整を行うことができない場合がある。
【０００６】
本発明は、上記課題に鑑みてなされ、その目的は、オートフォーカスとマニュアルフォーカスを併用する場合にピント調整の操作における誤操作の発生を低減することが可能な技術を実現することである。
【課題を解決するための手段】
【０００７】
この課題を解決するため、例えば本発明の撮像制御装置は以下の構成を備える。すなわち、オートフォーカス（ＡＦ）を行う指示を受け付けるＡＦ指示手段と、マニュアルフォーカス（ＭＦ）操作としてのフォーカス量の調整指示を受け付ける第１の表示アイテムおよび第２の表示アイテムの表示を制御する表示制御手段と、ＡＦを行う前のＭＦ操作においては、前記第１の表示アイテムに対する操作に応じて、第１のフォーカス量の分のピント位置を移動し、前記第２の表示アイテムに対する操作に応じて、前記第１のフォーカス量より大きい第２のフォーカス量の分のピント位置を移動し、ＡＦを行った後のＭＦ操作においては、前記第１の表示アイテムに対する操作に応じて、前記第１のフォーカス量の分のピント位置を移動し、前記第２の表示アイテムに対する操作に応じてはピント位置を移動しない、あるいは、前記第２の表示アイテムを表示しない、ように制御する制御手段と、を有することを特徴とする。
【発明の効果】
【０００８】
本発明によれば、オートフォーカスとマニュアルフォーカスを併用する場合にピント調整の操作における誤操作の発生を低減することが可能になる。
【図面の簡単な説明】
【０００９】
【図１】実施形態１における撮像制御装置の一例のとしてのデジタルカメラの機能構成例を示すブロック図
【図２】実施形態１におけるデジタルカメラの外観構成例を示す図
【図３Ａ】、
【図３Ｂ】実施形態１におけるピント調整の操作の一連の動作を示すフローチャート
【図４】実施形態１におけるピント調整の操作に係る画面表示例を示す図
【図５Ａ】、
【図５Ｂ】実施形態２におけるスマートフォンからデジタルカメラのピントを調整する際の一連の動作を説明するフローチャート
【図６】実施形態２におけるスマートフォンに表示される画面構成例を示す図
【図７】実施形態２における撮像制御装置の一例としてのスマートフォンの機能構成例を示すブロック図
【発明を実施するための形態】
【００１０】
（実施形態１）
以下、本発明の例示的な実施形態について、図面を参照して詳細に説明する。なお、以下では撮像制御装置の一例として、オートフォーカスを行う指示と、マニュアルフォーカス（ＭＦ）操作としてのフォーカス量の調整指示とを受け付け可能なデジタルカメラ１００を用いる例を説明する。
【００１１】
図１は、本実施形態におけるデジタルカメラ１００の機能構成例を示している。
【００１２】
撮影レンズ１０４は、ズームレンズ、フォーカスレンズを含むレンズ群である。シャッター１０５は絞り機能を備えるシャッターである。撮像部１０６は光学像を電気信号に変換するＣＣＤやＣＭＯＳ素子等で構成される撮像素子である。Ａ／Ｄ変換器１０７は、アナログ信号をデジタル信号に変換する回路を含み、撮像部１０６から出力されるアナログ画像信号をデジタル信号に変換して出力する。
【００１３】
バリア１０３は、撮影レンズ１０４を含む撮像系を覆うことにより、撮影レンズ１０４、シャッター１０５、撮像部１０６を含む撮像系の汚れや破損を防止する。本実施形態ではデジタルカメラ１００本体に撮影レンズ１０４が括り付けられている例を示したが、着脱可能なレンズであっても構わない。
【００１４】
画像処理部１０２は、Ａ／Ｄ変換器１０７からのデータ、又は、メモリ制御部１０８からのデータに対し所定の画素補間、縮小といったリサイズ処理や色変換処理を行う。また、画像処理部１０２では、撮像された画像データを用いて所定の演算処理が行われ、得られた演算結果に基づいてシステム制御部１０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１０２では更に、撮像された画像データを用いて所定の演算処理を行い、得られた演算結果に基づいてＴＴＬ方式のＡＷＢ（オートホワイトバランス）処理も行っている。
【００１５】
Ａ／Ｄ変換器１０７からの出力データは、画像処理部１０２及びメモリ制御部１０８を介して、或いは、メモリ制御部１０８を介してメモリ１０９に直接書き込まれる。メモリ１０９は、撮像部１０６によって得られＡ／Ｄ変換器１０７によりデジタルデータに変換された画像データや、表示部１１１に表示するための画像データを格納する。メモリ１０９は、所定枚数の静止画像や所定時間の動画像および音声を格納するのに十分な記憶容量を備えている。
【００１６】
また、メモリ１０９は画像表示用のメモリ（ビデオメモリ）を兼ねている。Ｄ／Ａ変換器１１０は、メモリ１０９に格納されている画像表示用のデータをアナログ信号に変換して表示部１１１に供給する。こうして、メモリ１０９に書き込まれた表示用の画像データはＤ／Ａ変換器１１０を介して表示部１１１により表示される。
【００１７】
表示部１１１は、ＬＣＤ等の表示器上に、Ｄ／Ａ変換器１１０からのアナログ信号に応じた表示を行う。Ａ／Ｄ変換器１０７によって一度Ａ／Ｄ変換されメモリ１０９に蓄積されたデジタル信号をＤ／Ａ変換器１１０においてアナログ変換し、表示部１１１に逐次転送して表示する。このようにすることで、電子ビューファインダとして機能し、スルー画像表示を行える（以後、ライブビュー画像と呼ぶ）。
【００１８】
不揮発性メモリ１１４は、電気的に消去・記録可能なメモリであり、例えばＥＥＰＲＯＭ等が用いられる。不揮発性メモリ１１４には、システム制御部１０１の動作用の定数、プログラム等が記憶される。ここでいう、プログラムとは、本実施形態にて後述する各種フローチャートを実行するためのプログラムのことである。
【００１９】
システム制御部１０１は、デジタルカメラ１００全体を制御する。前述した不揮発性メモリ１１４に記録されたプログラムをシステムメモリ１１２に展開、実行することで、後述する本実施形態の各処理を実現する。また、システム制御部はメモリ１０９、Ｄ／Ａ変換器１１０、表示部１１１等を制御することにより表示制御も行う。システムメモリ１１２は、例えばＤＲＡＭなどの揮発性メモリを含み、システム制御部１０１の動作用の定数、変数、不揮発性メモリ１１４から読み出したプログラム等を一時的に記憶する。システムタイマー１１３は各種制御に用いる時間や、内蔵された時計の時間を計測する計時部である。
【００２０】
シャッターボタン１１５、モード切り換えダイヤル１１８、電源ボタン１１９、操作部１２０はシステム制御部１０１に各種の動作指示を入力するための操作手段である。操作部１２０は、１１５〜１１９以外の操作部材であって、図２を参照して後述するダイヤルやボタン等を含む。モード切り換えダイヤル１１８は、システム制御部１０１の動作モードを静止画記録モード、動画記録モード、再生モード、および各動作モードに含まれる詳細モードに切り換える。
【００２１】
第１シャッタースイッチ１１６は、デジタルカメラ１００に設けられたシャッターボタン１１５の操作途中、いわゆる半押し（撮影準備指示）でＯＮとなり第１シャッタースイッチ信号ＳＷ１を発生する。システム制御部１０１は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。すなわち、第１シャッタースイッチ１１６は、オートフォーカス（ＡＦ）を行う指示を受け付けるＡＦ指示手段として機能する。
【００２２】
第２シャッタースイッチ１１７は、シャッターボタン１１５の操作完了、いわゆる全押し（撮影指示）でＯＮとなり、第２シャッタースイッチ信号ＳＷ２を発生する。システム制御部１０１は、第２シャッタースイッチ信号ＳＷ２により、撮像部１０６からの信号読み出しから記録媒体１２４に画像データを書き込むまでの一連の撮影処理の動作を開始する。
【００２３】
電源制御部１２１は、電池検出回路、ＤＣ−ＤＣコンバータ、通電するブロックを切り換えるスイッチ回路等により構成され、電源ボタン１１９の状態、電池の装着の有無、電池の種類、電池残量の検出を行う。また、電源制御部１２１は、その検出結果及びシステム制御部１０１の指示に基づいてＤＣ−ＤＣコンバータを制御し、必要な電圧を必要な期間、記録媒体１２４を含む各部へ供給する。
【００２４】
電源部１２２は、アルカリ電池やリチウム電池等の一次電池やＮｉＣｄ電池やＮｉＭＨ電池、Ｌｉ電池等の二次電池、ＡＣアダプター等からなる。本実施形態では電源部（以下電池と呼ぶ）に二次電池を用いた場合を例に説明する。
【００２５】
記録媒体Ｉ／Ｆ１２３は、メモリカードやハードディスク等の記録媒体１２４とのインターフェースである。記録媒体１２４は、撮影された画像を記録するためのメモリカード等の記録媒体であり、半導体メモリや磁気ディスク等から構成される。
【００２６】
音声制御部１２５は、スピーカー１２６で発音させる音声を生成する音声処理回路を含み、スピーカー１２６を介して警告などの通知を音声で行うことを可能にする。
【００２７】
無線通信Ｉ／Ｆ１２９は、外部機器と無線通信を行うことが可能である。他のカメラや携帯端末、ＰＣへ撮影されたデータを送信したり、携帯端末から撮像部１０６による撮影やＡＦ及びＭＦ操作を制御する指示を受信することも可能である。
【００２８】
図２（ａ）及び図２（ｂ）を参照して、本実施形態に係るデジタルカメラ１００の外観構成について説明する。
【００２９】
操作部１２０の各操作部材は、表示部１１１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、図２（ａ）に示すメニューボタン２０１が押された場合、システム制御部１０１が各種の設定可能なメニュー画面を表示部１１１に表示させる。ユーザは、表示部１１１に表示されたメニュー画面と、上下左右の４方向にボタンを備えた十字ボタン２０２やＳＥＴボタン２０３とを用いて直感的に各種設定を行うことができる。
【００３０】
コントローラホイール２０４、電子ダイヤル２０５は、操作部１２０に含まれる回転操作可能な操作部材である。ＭＦ操作としてのフォーカス量の調整を回転操作によって行う場合や、表示部１１１に表示されたメニュー画面において方向ボタンと共に選択項目を指示するときなどに使用される。コントローラホイール２０４や電子ダイヤル２０５を回転操作すると、操作量に応じて電気的なパルス信号が発生し、このパルス信号に基づいてシステム制御部１０１はデジタルカメラ１００の各部を制御する。このパルス信号によって、コントローラホイール２０４や電子ダイヤル２０５が回転操作された角度や、何回転したかなどを判定することができる。なお、コントローラホイール２０４や電子ダイヤル２０５は回転操作が検出できる操作部材であればどのようなものでもよい。例えば、ユーザの回転操作に応じてコントローラホイール２０４や電子ダイヤル２０５自体が回転してパルス信号を発生するダイヤル操作部材であってもよい。また、タッチセンサよりなる操作部材で、コントローラホイール２０４自体は回転せず、コントローラホイール２０４上でのユーザの指の回転動作などを検出するものであってもよい（いわゆる、タッチホイール）。
【００３１】
フォーカス操作部１２８はカメラのレンズ周囲に備え付けられた回転部材である。コントローラホイール２０４や電子ダイヤル２０５と同様に、回転操作量に応じて電気的なパルス信号が発生し、このパルス信号の数に応じてフォーカスレンズの移動を行う。フォーカス操作部１２８はピントの調整を手動で行うＭＦ操作時に有効となる。プログラムによってフォーカス操作部１２８の単位回転角あたりの電気パルス信号検出数を制御することにより、フォーカスレンズの移動速度を変更することができる。フォーカス操作部１２８を単位回転角回転させたときに多くのパルス信号数を検出するようにすれば、フォーカスレンズの移動速度は速くなる。このため、フォーカス操作部１２８を少し回転させただけでもフォーカス量（ピント位置）を大きく移動することができる（ピント位置粗調整）。逆に、フォーカス操作部１２８を単位回転角回転させたときに少ないパルス信号数を検出するようにすれば、フォーカスレンズの移動速度は遅くなり、フォーカス操作部１２８を回転させたときにピント位置を少しだけ移動することができる（ピント位置微調整）。ピント位置調整操作はコントローラホイール２０４や電子ダイヤル２０５を使用しても可能である。
【００３２】
ＡＦモード切り換えレバー２０６はレンズのピント合わせ方法であるＡＦとＭＦを切り換えるためのレバーであり、モード切換手段として機能する。
【００３３】
デジタルカメラ底面からは電池１２２と記録媒体１２４をデジタルカメラ１００に挿入でき、開閉可能なカバー２０７で蓋をすることができる。
【００３４】
操作部１２０の一つとして、表示部１１１に対する接触を検知可能なタッチパネル１２７を有する。タッチパネル１２７と表示部１１１とは一体的に構成することができる。例えば、タッチパネル１２７を光の透過率が表示部１１１の表示を妨げないように構成し、表示部１１１の表示面の上層に取り付ける。そして、タッチパネル１２７における入力座標と、表示部１１１上の表示座標とを対応付ける。これにより、恰もユーザが表示部１１１上に表示された画面を直接的に操作可能であるかのようなＧＵＩを構成することができる。
【００３５】
システム制御部１０１はタッチパネルへの以下の操作を検出できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。これらの操作や、タッチパネル上に指やペンが触れている位置座標は内部バスを通じてシステム制御部１０１に通知され、システム制御部１０１は通知された情報に基づいてタッチパネル上にどのような操作が行なわれたかを判定する。ムーブについてはタッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。また、タッチパネルを指やペンでムーブしながら特定領域に入る操作（以下、ムーブインと称する）、ムーブしながら特定領域から外に出る操作（以下、ムーブアウトと称する）を検知することもできる。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００３６】
（ピント調整の操作に係る一連の動作）
次に、図３Ａ及び図３Ｂを参照して、ピント調整の操作に係る一連の動作について説明する。なお、この一連の動作における各処理は、システム制御部１０１が不揮発性メモリ１１４に格納されたプログラムをシステムメモリ１１２に展開し、実行することにより実現される。この一連の動作は、例えば、ユーザが操作部１２０を介して、デジタルカメラ１００の動作モードを撮影待機処理に切り換えたところから開始される。
【００３７】
Ｓ３０１では、システム制御部１０１は、撮影待機処理が開始すると周期的に撮影モード切り換えの判定を行う。システム制御部１０１は、撮影モードが切り換えられたと判定した場合、本一連の処理を終了し、そうでない場合、Ｓ３０２に進む。
【００３８】
Ｓ３０２では、システム制御部１０１は、周期的にＡＦモード切り換えレバー２０６の動作を監視し、ＡＦモードの切り換えが行われたか否か判定する。システム制御部１０１は、ＡＦモード切り換えレバー２０６からの通知に基づいてＡＦモードの切り換えが発生したと判定した場合、Ｓ３０３に進み、そうでない場合には、Ｓ３０５に進む。
【００３９】
Ｓ３０３では、システム制御部１０１は、切り換え後のフォーカスモードを判定し、現在設定されているフォーカスモードがＭＦモードであると判定した場合、Ｓ３０４に進み、そうでない場合にはＳ３０６に進む。
【００４０】
Ｓ３０４では、システム制御部１０１は、ＭＦ操作としてのフォーカス量の調整指示をユーザから受け付けるためのＭＦピント調整画面を表示部１１１に表示させる。ＭＦピント調整画面では、例えば、図４（ｂ）に示すように、被写体像を含む画像に、ＭＦ操作としてのフォーカス量の調整指示を受け付ける表示アイテム（ＧＵＩ）が重畳される。システム制御部１０１は、ＭＦピント調整画面に、手動でピント調整ができることを示す「ＭＦ」アイコン４０９を表示する。ＭＦピント調整画面に表示される表示アイテムの詳細は後述する。
【００４１】
一方、Ｓ３０６では、システム制御部１０１は、（Ｓ３０３において）切り換え後のフォーカスモードがＡＦモードであると判定したため、表示部１１１にＡＦ撮影待機画面を表示する。ＡＦ撮影待機画面は、図４（ａ）に示すような画面になる。
【００４２】
Ｓ３０５では、システム制御部１０１は、現在のフォーカスモードがＭＦモードであるかを判定する。すなわち、システム制御部１０１は、（Ｓ３０２において）ＡＦモードの切り換えが行われていないと判定したため、現在のフォーカスモードを判定する。システム制御部１０１は、現在のフォーカスモードがＭＦモードであると判定した場合、ＭＦモードの処理を行うためにＳ３０７へ進む。一方、システム制御部１０１は、現在のフォーカスモードがＡＦモードであると判定した場合、ＭＦモード特有の処理を行なわず、撮影準備のための第１シャッタースイッチ１１６の検出を行うために、Ｓ３２０へ進む。
【００４３】
ＭＦモードにおける処理（Ｓ３０７〜Ｓ３１９）について説明する。Ｓ３０７では、システム制御部１０１は、ＭＦモードピント調整画面に表示された粗調整タッチボタン４０１又は４０２がタッチされたか否かを判定する。粗調整タッチボタン４０１と４０２は、ユーザが少し押下しただけでも大きなフォーカス量でピント位置を移動させるためのボタンである。システム制御部１０１は、粗調整タッチボタン４０１又は４０２に対するタッチが検出されたと判定した場合、Ｓ３０８に進み、そうでない場合、Ｓ３０９に進む。
【００４４】
Ｓ３０８では、システム制御部１０１は、ピント位置の移動をＮステップ分（すなわち１ステップをＮ回行った分のピント位置の移動を）行う。
【００４５】
Ｓ３０９では、システム制御部１０１は、微調整タッチボタン４０３又は４０４がタッチされたかを判定する。微調整タッチボタン４０３及び４０４は、ユーザが押下した場合にピント位置を少しだけ移動させるためのボタンである。システム制御部１０１は、微調整タッチボタン４０３又は４０４が押下されたと判定した場合、３１０に進み、そうでない場合、Ｓ３１１に進む。
【００４６】
Ｓ３１０では、システム制御部１０１は、ピント位置の移動を、例えば移動の最小単位である１ステップ分だけ行う。ここで、システム制御部１０１は、粗調整タッチボタン４０１と微調整タッチボタン４０３ではピント位置を無限遠側に移動し、粗調整タッチボタン４０２、微調整タッチボタン４０４ではピント位置を至近側に移動する。また、粗調整のためのステップ数Ｎは、微調整の所定ステップ数（この例では１）より十分大きい量であればピント位置の粗調整として動作させることができる。
【００４７】
Ｓ３１１では、システム制御部１０１は、ＭＦモードの処理として次に十字ボタン２０２が押下されたか否かを判定する。システム制御部１０１は、十字ボタン２０２が押下されたと判定した場合、Ｓ３１２に進み、そうでない場合には、Ｓ３１７に進む。
【００４８】
Ｓ３１２では、システム制御部１０１は、十字ボタン２０２に対する操作開始に応じてピント位置を１ステップ分だけ移動させる。次に、Ｓ３１３では、システム制御部１０１は、キーリピートが発生しているか否かを判別する。このとき、システム制御部１０１は、十字ボタンの押下が解除されずに、押したままの状態が所定時間継続している場合にはキーリピートを発生させるように構成されている。システム制御部１０１は、キーリピートが発生していないと判定しない場合、Ｓ３１６において更に十字ボタンの押下解除を判定する。システム制御部１０１は、押下状態が継続していると判定した場合、Ｓ３１６に戻ってキーリピートの判定を待つ。一方、十字ボタンの押下解除がされていると判定した場合、Ｓ３１５に進んで十字ボタンの押下によるピント位置移動を終了する。
【００４９】
一方、システム制御部１０１は、Ｓ３１３においてキーリピートが発生していると判定した場合Ｓ３１４に進む。Ｓ３１４において、システム制御部１０１はピント位置を移動させる。システム制御部１０１は、ピント位置の移動を、Ｓ３１５において十字ボタン押下が解除されたと判定するまで連続的に繰り返す。すなわち、システム制御部１０１は、キーリピート時のピント位置移動を単位時間当たりＭステップで行う。なお、ステップ数Ｍがピント位置微調整のステップ数１よりも十分大きい値であれば十字ボタン２０２の長押し操作によってピント位置の粗調整を行うことができる。本実施形態では、システム制御部１０１は、十字ボタン２０２の上が押下された場合はピント位置を無限遠側に移動させ、十字ボタン２０２の下が押下された場合はピント位置を至近側に移動させる。
【００５０】
Ｓ３１７では、システム制御部１０１は、ＭＦモードの処理として最後に、フォーカス操作部１２８の回転操作が行われたか否かを判定する。システム制御部１０１は、フォーカス操作部１２８が回転されたと判定した場合、Ｓ３１８に処理を進め、そうでない場合、Ｓ３２０に進む。Ｓ３１８では、システム制御部１０１は、ピント位置を移動させる。Ｓ３１９では、システム制御部１０１は、フォーカス操作部１２８の回転操作の操作が完了したかを判定し、操作が完了したと判定した場合、Ｓ３２０に進む。そうでない場合、Ｓ３１８に戻る。すなわち、システム制御部１０１は、ピント位置の移動を、フォーカス操作部１２８の回転操作が解除されるまで行う。本実施形態では、システム制御部１０１は、単位回転角あたりＸステップだけピント位置を移動させる。
【００５１】
次に、Ｓ３２０では、システム制御部１０１は、撮影準備を行うための第１シャッタースイッチ１１６が押下されたかを判定する。システム制御部１０１は、第１シャッタースイッチ１１６が押下されていないと判定した場合、撮影待機状態の処理を繰り返すためにＳ３０１に戻る。一方、システム制御部１０１は、第１シャッタースイッチ１１６が押下されたと判定した場合、Ｓ３２１に進んで撮影準備処理を開始する。
【００５２】
Ｓ３２１では、システム制御部１０１は、現在のＡＦモードを判定する。システム制御部１０１は、ＭＦモードであると判定した場合、Ｓ３０７に進み、そうでない場合（すなわちＡＦモードである場合）、Ｓ３２４に進む。
【００５３】
以下、システム制御部１０１は、ＭＦピント調整の一連の処理を行う。但し、この処理は、ＭＦモードの撮影待機中に行う上述の処理（Ｓ３０７〜Ｓ３１９）と同様であるため説明は省略する。
【００５４】
Ｓ３２２では、システム制御部１０１は、第１シャッタースイッチ１１６の押下が開放されたかを判定し、押下が開放されたと判定した場合、撮影待機状態の始め処理に戻るためにＳ３０１に進む。そうでない場合、Ｓ３２３に進む。Ｓ３２３では、システム制御部１０１は、撮影処理開始の指示を行う第２シャッタースイッチ１１７の押下を判定する。システム制御部１０１は、第２シャッタースイッチ１１７が押されたと判定した場合、Ｓ３４１に進んで撮影処理を実行する。そうでない場合（すなわち第２シャッタースイッチ１１７が押下されていないと判定した場合）、第１シャッタースイッチ１１６が押下された状態であるＳ３０７に戻る。
【００５５】
一方、上述のＳ３２１においてＡＦモードであると判定された場合、Ｓ３２４では、システム制御部１０１はＡＦを実行する。ユーザはＡＦが実行された後にＭＦ操作を行うとピントの調整を手動で行うことができる。ここで、Ｓ３２５では、システム制御部１０１は、ＭＦ操作が実行されたかを判定する。すなわち、システム制御部１０１は、ピント調整画面のタッチボタン、十字ボタン２０２、フォーカス操作部１２８のいずれかに対する操作を検出したかを判定する。システム制御部１０１は、これらの操作部材からの通知に基づいてＭＦ操作を実行したと判定した場合、Ｓ３２６に進む。
【００５６】
Ｓ３２６では、システム制御部１０１は、一時的な内部処理としてＭＦ（いわゆるＡＦ＋ＭＦ）に切り換え、Ｓ３２７では、ＭＦピント微調整画面を表示する。例えば、図４（ｃ）にＭＦピント微調整画面の一例を示している。図４（ｃ）の例では、システム制御部１０１は、ピント位置の粗調整を制限するために、ＡＦ実行後のＭＦ操作時にはピント位置の粗調整を行う粗調整タッチボタン４０１及び４０２を非表示にする。なお、粗調整を制限する他の表示例として、図４（ｄ）に示すように、システム制御部１０１は、粗調整タッチボタン４０１及び４０２を微調整タッチボタンに変更してもよい。
【００５７】
図４（ｃ）、図４（ｄ）に示すピント調整画面において、システム制御部１０１は、ＡＦモードでありながら一時的に手動でピント調整が可能であり、通常のＭＦモードとは異なることを通知するために、「ＭＦ」アイコンを点滅させて表示する。なお、この表示が一時的にピント位置微調整専用のモードに切り換わっており、粗調整タッチボタン４０１及び４０２に対する操作に応じてはピント位置が移動しないことをユーザに通知する目的も兼ねている。なお、このようなユーザへの通知は、アイコンの点滅に限らない。他のアイコン表示や微調整タッチボタン４０５〜４０８の色を変更するなど、受け付ける操作の変化をユーザが視覚的に判別可能な態様であれば他の態様であってもよい。また、図４（ｃ）及び（ｄ）の例では、ユーザがタッチボタンを操作する場合を例に説明している。しかし、ユーザが後述する十字ボタン２０２やフォーカス操作部１２８で操作する場合にも、表示部１１１に上述のように「ＭＦ」アイコンを表示、点滅させて、ユーザに対する通知を行ってよい。
【００５８】
Ｓ３２８では、システム制御部１０１は、ＭＦ操作が実行されたとき、微調整タッチボタン４０５〜４０８がタッチされたかを判定する。システム制御部１０１は、微調整タッチボタンが押下されたと判定した場合、Ｓ３２９に進み、そうでない場合、Ｓ３３０に進む。
【００５９】
Ｓ３２９では、システム制御部１０１は、ピント位置を１ステップ移動させる。Ｓ３３０では、システム制御部１０１は、十字ボタン２０２が押されたかを判定する。システム制御部１０１は、十字ボタンが押下されたと判定した場合、Ｓ３３１に進み、そうでないと判定した場合、Ｓ３３２に進む。
【００６０】
Ｓ３３１では、システム制御部１０１は、ピント位置を１ステップ移動させる。このとき、キーリピートの判定は行わない。さらに、Ｓ３３２では、システム制御部１０１は、フォーカス操作部１２８が操作されたかを判定し、操作されたと判定した場合にはＳ３３３に進み、そうでないと判定した場合にはＳ３３５に進む。
【００６１】
Ｓ３３３では、システム制御部１０１は、ピント位置を単位角度あたりＹステップで移動させる。ここで、システム制御部１０１は、ステップ数のＹはＳ３１８のステップ数Ｘよりも十分少なくするため、フォーカス操作部１２８を回転させた場合のピントの移動量が通常のＭＦモードよりも少なくなり、ユーザはピント位置を微調整することが可能になる。Ｓ３３４では、システム制御部１０１は、フォーカス操作部１２８の操作が完了したかを判定し、操作が完了していないと判定した場合にＳ３３３に戻ることにより、フォーカス操作部１２８が操作され続けている間はピント位置の移動を連続的に行う。一方、フォーカス操作部１２８の操作が完了したと判定した場合、Ｓ３３５に進む。
【００６２】
Ｓ３３５では、システム制御部１０１は、第１シャッタースイッチ１１６が開放されたかを判定する。システム制御部１０１は、第１シャッタースイッチ１１６が開放されたと判定した場合、Ｓ３３６に進み、そうでない場合にはＳ３３９に進む。
【００６３】
Ｓ３３６では、システム制御部１０１は、第２シャッタースイッチ１１７が押下されたかを判定する。システム制御部１０１は、第２シャッタースイッチ１１７が押下されていないと判定した場合には、ＭＦピント合わせの微調整を第１シャッタースイッチ１１６が開放されるまで行うために、Ｓ３２５に戻る。一方、システム制御部１０１は、第２シャッタースイッチ１１７が押下されたと判定した場合には、Ｓ３３７に進む。
【００６４】
Ｓ３３９では、システム制御部１０１は、一時的にＭＦモードの状態となっているかどうかを判定する。システム制御部１０１は、一時的にＭＦ状態になっている、すなわち１度でもＭＦ微調整を実行している場合にはＳ３４０に進み、Ｓ３４０においてＡＦモードへ設定を戻す処理を行う。一方、ＭＦモードの状態になっていない場合には、撮影待機状態の処理（すなわちＳ３０１）に戻る。
【００６５】
Ｓ３３７では、システム制御部１０１は、一時的にＭＦモードの状態となっているかどうかを判定する。システム制御部１０１は、一時的にＭＦモードの状態になっていると判定した場合、Ｓ３３８に進み、そうでないと判定した場合、Ｓ３４１に進む。Ｓ３３８では、システム制御部１０１は、ＡＦモードへ設定を戻す処理を行って、更にＳ３４１において撮影処理を実行する。
【００６６】
以上のように本実施形態では、ＡＦを実行した後にＭＦにおいてピント調整を行う場合には、ピント位置の粗調整に対するユーザ操作の受け付けを制限し、ピント位置の微調整に対する操作のみを受け付けるようした。このようにすることで、ユーザが不意にピント位置の粗調整を行ってＡＦで調整したピント位置を誤って大きく外してしまう誤操作を防ぐことができる。換言すれば、ＡＦとＭＦとを併用する場合にピント調整の操作における誤操作の発生を低減することが可能になる。
【００６７】
なお、本実施形態では表示部１１１に表示されたタッチボタン４０１〜４０４を操作することによってピント位置の粗調整と微調整を行う例を示したが、それぞれの操作が回転部材であるコントローラホイール２０４や電子ダイヤル２０５であってもよい。例えば、電子ダイヤル２０５にピント位置の粗調整、コントローラホイール２０４にピント位置の微調整の機能を割り当て、それぞれの回転部材を使用してピント位置を調整するようにしてもよい。この場合、システム制御部１０１は、ＡＦ実行後には、ピント位置の粗調整を行う電子ダイヤル２０５に対する操作を無効にする（例えば無視する）。或いは、ＡＦ実行後にピント位置の粗調整を行う電子ダイヤル２０５でも、ピント位置の微調整を行うように機能を割り当ててもよい。このようにしても誤操作の発生を低減することができる。
【００６８】
（実施形態２）
実施形態１では、デジタルカメラ１００の操作部材を操作してピント調整を行う場合を例に説明した。本実施形態では、外部のスマートフォン６００から無線通信Ｉ／Ｆ１２９を介してデジタルカメラ１００を制御する場合を例に説明する。本実施形態におけるピント調整の操作に係る一連の動作を図５Ａ、図５Ｂ及び図６を参照して説明する。なお、以下の説明のピント調整モードとは、実施形態１で説明したピント位置粗調整とピント位置微調整の両方が可能なモード（以下、通常調整モードと呼ぶ）と、ピント位置微調整のみが可能なモード（以下、微調整モードと呼ぶ）とを含む調整モードを表す。また、本実施形態に係る一連の動作は、図７を参照して後述するスマートフォン６００のシステム制御部７０１が不揮発性メモリ７０４に記録されたプログラムをシステムメモリ７１２に展開、実行することにより実現される。
【００６９】
Ｓ５０１では、システム制御部７０１は、デジタルカメラ１００の撮影待機処理が開始されたことに応じてピント調整モードを通常モードに設定する。Ｓ５０２では、システム制御部７０１は、スマートフォン６００の表示部７１１に通常調整画面を表示させる。スマートフォン６００の表示部７１１に表示される通常調整画面の一例を図６（ａ）に示す。通常調整画面には、ＡＦ実行をデジタルカメラ１００に指示するＡＦボタン６０２と、撮像指示をデジタルカメラ１００に指示するシャッターボタン６０３と、粗調整タッチボタン６０４、６０５と微調整タッチボタン６０６、６０７とが表示される。粗調整タッチボタン６０４と６０５は、ユーザが少し押下しただけでも大きなフォーカス量でピント位置を移動させるためのボタンである。微調整タッチボタン６０６及び６０７は、ユーザが押下した場合にピント位置を少しだけ移動させるためのボタンである。通常調整画面には、デジタルカメラ１００から送信されるライビュ―画像６２０を表示する。
【００７０】
Ｓ５０３では、システム制御部７０１は、撮影モードの切り換えが発生したかを判定する。システム制御部７０１は、撮影待機処理では周期的に撮影モード切り換えの判定を行う。システム制御部７０１は、撮影モードが切り換えられたと判定する場合には撮影待機画面を終了して本一連の動作を終了し、そうでない場合には、Ｓ５０４に進む。
【００７１】
Ｓ５０４では、システム制御部７０１は、ＡＦボタン６０２がタッチされたかを判定する。システム制御部７０１は、撮影待機中にスマートフォン６００の表示部７１１に表示されたＡＦボタン６０２に対するタッチ検出を周期的に行っており、ＡＦボタン６０２がタッチされたと判定した場合にＳ５０５に進む。そうでないと判定した場合には、ピント位置微調整を行うためにＳ５１０に進む。
【００７２】
Ｓ５０５では、システム制御部７０１は、ＡＦボタンがタッチされたため、デジタルカメラ１００に対してＡＦの実行を指示する。システム制御部７０１は、デジタルカメラ１００への指示を例えば無線通信Ｉ／Ｆ７２９を介して送信する。このとき、システム制御部７０１は、デジタルカメラ１００からＡＦ実行の完了を示す通知を無線通信Ｉ／Ｆ７２９を介して受信してもよい。
【００７３】
Ｓ５０６では、システム制御部７０１は、現在のピント調整モードが微調整モードであるかを判定する。システム制御部７０１は、デジタルカメラ１００に現在のピント調整モードを問い合わせても良いし、別途デジタルカメラ１００のピント調整モードとシステム制御部７０１が管理するピント調整モードとが同期するようにしておいてもよい。システム制御部７０１は、現在のピント調整モードが微調整モードであると判定した場合、Ｓ５０９に進み、そうでない場合（すなわち通常調整モードであると判定した場合）にはＳ５０７に進む。
【００７４】
Ｓ５０７では、システム制御部７０１は、現在のピント調整モードが通常調整モードであるため、ピント調整モードを微調整モードに変更し、Ｓ５０８では、図６（ｂ）に示す微調整画面を表示部７１１に表示させる。微調整画面では、粗調整タッチボタンの表示が非表示となり、微調整タッチボタンであるタッチボタン６０８及び６０９のみが表示される。粗調整を制限する他の表示例として、図６（ｃ）に示すように、システム制御部７０１は、粗調整タッチボタン６０４及び６０５を微調整タッチボタンに変更してもよい。すなわち、Ｓ５０５におけるＡＦ実行指示によってデジタルカメラ１００ではＡＦが実行されているため、スマートフォン６００のユーザが粗調整を行うことを制限している。このとき、システム制御部７０１は、Ｓ３２７及び図４（ｃ）の説明と同様、「ＭＦ」アイコンを点滅させて表示してもよい。すなわち、システム制御部７０１は、一時的にピント位置微調整専用のモードに切り換わっており、粗調整タッチボタン６０４及び６０５に対する操作に応じてはピント位置が移動しないことをユーザに通知してもよい。Ｓ５０９では、システム制御部７０１は、システムタイマー７０３の微調整モードのタイマーをリセットして、その後スタートさせる。
【００７５】
次に、Ｓ５１０では、システム制御部７０１は、現在のピント調整モードが微調整モードか否かを判定する。システム制御部７０１は、ピント調整モードが微調整モードであると判定した場合、Ｓ５１５に進み、そうでなければ（すなわち通常調整モードである場合）Ｓ５１１に進む。
【００７６】
Ｓ５１１では、システム制御部７０１は、通常調整モードにおいて粗調整タッチボタン６０４又は６０５がタッチされたかを判定する。システム制御部７０１は、粗調整タッチボタンがタッチされたと判定した場合、Ｓ５１５において、ピント位置をＮステップ移動させるように無線通信Ｉ／Ｆ７２９を介してデジタルカメラ１００に指示する。そうでない場合にはＳ５１３に進む。
【００７７】
Ｓ５１３では、システム制御部７０１は、微調整タッチボタンがタッチされたかを判定し、微調整タッチボタンがタッチされたと判定した場合、Ｓ５１４に進み、そうでない場合にはＳ５１８に進む。Ｓ５１４では、システム制御部７０１は、ピント位置を１ステップ移動するように、無線通信Ｉ／Ｆ７２９を介してデジタルカメラ１００に指示する。
【００７８】
一方、ピント調整モードが微調整モードである場合、Ｓ５１５では、システム制御部７０１は、微調整タッチボタン６０８〜６１１がタッチされたかを判定する。当該タッチを検出した場合にはＳ５１６に進み、そうでない場合にはＳ５１８に進む。
【００７９】
Ｓ５１６では、システム制御部７０１は、微調整モードのタイマーを延長し、Ｓ５１７において、ピント位置を１ステップ移動させるように、無線通信Ｉ／Ｆ７２９を介してデジタルカメラ１００に指示する。
【００８０】
Ｓ５１８では、システム制御部７０１は、再びピント調整モードが微調整モードであるかを判定し、微調整モードであればＳ５１９に進み、そうでなければＳ５１３に進む。Ｓ５１９では、システム制御部７０１は、微調整モードのタイマーが満了したかを判定し、満了している場合にはＳ５２０においてタイマーをリセットする。一方、タイマーが満了していない場合にはＳ５２３へ進む。Ｓ５２１では、システム制御部７０１は、ピント調整モードを通常調整モードに戻し（変更）し、Ｓ５２２では、表示部７１１の画面表示を通常調整画面に戻す（変更する）。
【００８１】
Ｓ５２３では、システム制御部７０１は、シャッターボタン６０３がタッチされたか判定する。システム制御部７０１は、シャッターボタン６０３がタッチされたと判定した場合、Ｓ５２４に進み、そうでない場合にはＳ５０３に戻る。Ｓ５２４では、システム制御部７０１は、デジタルカメラ１００に対して撮影処理を指示する。システム制御部７０１は、デジタルカメラ１００への指示を無線通信Ｉ／Ｆ７２９を介して送信する。このとき、システム制御部７０１は、デジタルカメラ１００から撮影処理の完了を示す通知を無線通信Ｉ／Ｆ７２９を介して受信してもよい。
【００８２】
Ｓ５２５では、システム制御部７０１は、撮影処理後にピント調整モードを判定する。システム制御部７０１は、ピント調整モードが微調整モードであると判定した場合にはＳ５２６に進み、そうでない場合には、Ｓ５０３に戻る。
【００８３】
Ｓ５２６では、システム制御部７０１は、システムタイマー７０３による微調整モードのタイマーをリセットし、Ｓ５２７においてピント調整モードを通常調整モードに戻す（変更する）。システム制御部７０１は、更に、表示部７１１に通常調整画面を表示させ、その後、撮影待機処理の先頭であるＳ５０３に戻る。
【００８４】
なお、上述の一連の動作では、システム制御部７０１がスマートフォン６００の内部でピント調整モードを変更する例を説明した。システム制御部７０１は、上述のピント調整モードを変更するたびに、デジタルカメラ１００側のピント調整モードを変更するように、無線通信Ｉ／Ｆ７２９を介して指示を送信してもよい。
【００８５】
次に、上述のピント調整の操作に係る一連の動作を実行可能なスマートフォン６００の機能構成例について説明する。
【００８６】
撮影レンズ７０５は、被写体からの光束を撮像部７０６に導く撮影光学系である。撮像部７０６は光学像を電気信号に変換するＣＣＤやＣＭＯＳ素子等で構成される撮像素子である。Ａ／Ｄ変換器７０７は、アナログ信号をデジタル信号に変換する回路を含み、撮像部７０６から出力されるアナログ画像信号をデジタル信号に変換して出力する。
【００８７】
画像処理部７０２は、Ａ／Ｄ変換器７０７からのデータ、又は、メモリ制御部７０８からのデータに対し所定の画素補間、縮小といったリサイズ処理や色変換処理を行う。
【００８８】
Ａ／Ｄ変換器７０７からの出力データは、画像処理部７０２及びメモリ制御部７０８を介して、或いは、メモリ制御部７０８を介してメモリ７０９に直接書き込まれる。メモリ７０９は、撮像部７０６によって得られＡ／Ｄ変換器７０７によりデジタルデータに変換された画像データや、表示部７１１に表示するための画像データを格納する。メモリ７０９は、所定枚数の静止画像や所定時間の動画像を格納するのに十分な記憶容量を備えている。
【００８９】
また、メモリ７０９は画像表示用のメモリ（ビデオメモリ）を兼ねている。Ｄ／Ａ変換器７１０は、メモリ７０９に格納されている画像表示用のデータをアナログ信号に変換して表示部７１１に供給する。こうして、メモリ７０９に書き込まれた表示用の画像データはＤ／Ａ変換器７１０を介して表示部７１１により表示される。
【００９０】
表示部７１１は、ＬＣＤ等の表示器上に、Ｄ／Ａ変換器７１０からのアナログ信号に応じた表示を行う。スマートフォン６００は、無線通信Ｉ／Ｆ７２９を介してデジタルカメラ１００から受信し、メモリ７０９に蓄積されたデジタル信号をＤ／Ａ変換器７１０においてアナログ変換し、表示部７１１に逐次転送して表示する。このようにすることで、デジタルカメラ１００で撮像するライブビュー表示を行うことができる。
【００９１】
タッチパネル７２７は、表示部７１１に対する接触を検知可能であり、タッチパネル７２７と表示部７１１とは一体的に構成することができる。例えば、タッチパネル７２７を光の透過率が表示部７１１の表示を妨げないように構成し、表示部７１１の表示面の上層に取り付ける。そして、タッチパネル７２７における入力座標と、表示部７１１上の表示座標とを対応付ける。これにより、恰もユーザが表示部７１１上に表示された画面を直接的に操作可能であるかのようなＧＵＩを構成することができる。
【００９２】
不揮発性メモリ７０４は、電気的に消去・記録可能なメモリであり、例えばＥＥＰＲＯＭ等が用いられる。不揮発性メモリ７０４には、システム制御部７０１の動作用の定数、プログラム等が記憶される。ここでいう、プログラムとは、本実施形態にて上述したフローチャートを実行するためのプログラムのことである。
【００９３】
システム制御部７０１は、スマートフォン６００全体を制御する。前述した不揮発性メモリ７０４に記録されたプログラムをシステムメモリ７１２に展開、実行することで、上述した本実施形態の各処理を実現する。また、システム制御部はメモリ７０９、Ｄ／Ａ変換器７１０、表示部７１１等を制御することにより表示制御も行う。システムメモリ７１２は、例えばＤＲＡＭなどの揮発性メモリを含み、システム制御部７０１の動作用の定数、変数、不揮発性メモリ７０４から読み出したプログラム等を一時的に記憶する。システムタイマー７０３は各種制御に用いる時間や、内蔵された時計の時間を計測する計時部である。
【００９４】
電源ボタン７１９、操作ボタン７２０はシステム制御部７０１に各種の動作指示を入力するための操作手段である。電源制御部７２１は、電池検出回路、ＤＣ−ＤＣコンバータ、通電するブロックを切り換えるスイッチ回路等により構成され、電源ボタン７１９の状態、電池の装着の有無、電池の種類、電池残量の検出を行う。また、電源制御部７２１は、その検出結果及びシステム制御部７０１の指示に基づいてＤＣ−ＤＣコンバータを制御し、必要な電圧を必要な期間、記録媒体７２３を含む各部へ供給する。
【００９５】
電源部７２２は、アルカリ電池やリチウム電池等の一次電池やＮｉＣｄ電池やＮｉＭＨ電池、Ｌｉ電池等の二次電池、ＡＣアダプター等からなる。本実施形態では電源部（電池と呼ぶ）に二次電池を用いた場合を例に説明する。
【００９６】
記録媒体７２３は、撮影された画像を記録するためのメモリカード等の記録媒体であり、半導体メモリや磁気ディスク等から構成される。
【００９７】
無線通信Ｉ／Ｆ７２９で外部機器と無線通信を行うことが可能である。デジタルカメラ１００やＰＣで撮影されたデータを受信したり、スマートフォン６００からデジタルカメラ１００の撮影を制御したりすることができる。
【００９８】
以上説明したように本実施形態では、スマートフォン６００からデジタルカメラ１００のピント調整を行う際に、ＡＦ実行後である場合にはピント位置の粗調整に対するユーザ操作の受け付けを制限するようにした。すなわち、デジタルカメラ１００がＡＦを実行した後に更にＭＦにおいてピント調整を行う場合には、スマートフォン６００においてピント位置の微調整に対する操作のみを受け付けるようした。このようにすることで、遠隔操作を行う場合であってもユーザが不意にピント位置の粗調整を行ってＡＦで調整したピント位置を誤って大きく外してしまう誤操作を防ぐことができる。換言すれば、ＡＦとＭＦとを併用する場合にピント調整の操作における誤操作の発生を低減することが可能になる。
【００９９】
なお、本実施形態では、Ｓ５２１において微調整モードから通常調整モードへの復帰を、ＡＦ実行指示もしくは撮影処理指示後のＭＦ操作から所定時間後に行うようにした。しかし、この方法には限らず、例えば微調整モード解除ボタンを画面に表示して、任意のタイミングでユーザが通常調整モードに復帰させるようにしてもよい。このような構成にすることにより、ＡＦモードとＭＦモードが明確に分かれておらずＡＦ操作とＭＦ操作が同時に実行できるケースにも本発明を適応することができる。
【０１００】
また、本実施形態ではスマートフォン６００のタッチパネルを使用してピント調整を行う場合を例に説明した。しかし、スマートフォン６００に操作部材が備え付けられている場合、当該操作部材を操作することによって実施形態１と同様にピント調整をすることも可能である。
【０１０１】
更に、上述のシステム制御部１０１又は７０１が行うものとして説明した上述の各種制御は１つのハードウェアが行ってもよいし、複数のハードウェア（例えば、複数のプロセッサーや回路）が処理を分担することで、装置全体の制御を行ってもよい。
【０１０２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１０３】
また、上述した実施形態においては、本発明を撮像制御装置に適用した場合を例にして説明したが、これはこの例に限定されず、ＡＦの実行指示およびＭＦ操作を受け付けることのできる撮像制御装置であれば適用可能である。本発明は、例えばパーソナルコンピュータやＰＤＡ、携帯型の画像ビューワ、デジタルフォトフレーム、ゲーム機などに適用可能である。
【０１０４】
また、実施形態２では、撮像装置を遠隔で制御する撮像制御装置の一例としてのスマートフォンが本発明を実施する例を説明した。しかし、撮像装置を遠隔で制御する装置としては、例えば、タブレットＰＣ、デスクトップＰＣ、時計型の情報端末などの装置であってよく、更に有線や無線でカメラと接続される専用リモートコントローラでもよい。
【０１０５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１０６】
１０１…システム制御部、１０６…撮像部、１１１…表示部、１２０…操作部、１２７…タッチパネル、１２９…無線通信Ｉ／Ｆ
【図１】
2020034691.tif 000003
【図２】
2020034691.tif 000004
【図３Ａ】
2020034691.tif 000005
【図３Ｂ】
2020034691.tif 000006
【図４】
2020034691.tif 000007
【図５Ａ】
2020034691.tif 000008
【図５Ｂ】
2020034691.tif 000009
【図６】
2020034691.tif 000010
【図７】
2020034691.tif 000011